(57)【特許請求の範囲】
【請求項１】
複数枚のディスクを収納するディスク収納手段と、
選択されたディスクを再生するディスク再生手段と、
オールスキャン指令又はディスクスキャン指令を入力する操作手段と、
当該操作手段によるオールスキャン指令入力に応じて選択されたディスクに記録された各曲の先頭部分のみを前記ディスク再生手段にて所定時間、順次に再生させると共に、前記操作手段によるディスクスキャン指令入力に応じて前記ディスク収納手段に収納中の各ディスクを順次に選択し、当該選択されたディスクに記録された先頭曲のみを前記ディスク再生手段にて前記所定時間よりも長く再生させる制御手段とを有することを特徴とするディスク再生装置。
【発明の詳細な説明】
【０００１】
【産業上の利用分野】
本発明は、複数枚のディスクを収納すると共に、当該収納されたディスクをスキャン再生するスキャンモード機能を備えたディスク再生装置に関する。
【０００２】
【従来の技術】
従来、このようなディスク再生装置のスキャンモード機能には、一枚のディスクに記録された全曲を対象としたオールスキャン機能と、当該装置内に収納された全ディスクを対象としたディスクスキャン機能とを有している。
【０００３】
前記オールスキャン機能とは、当該装置内に収納された複数枚のディスクの内、選択された一枚のディスクに記録された各曲を先頭曲から順次に選択し、当該選択された各曲の先頭部分のみを所定時間づつ再生させるようにしたものであり、ユーザーは当該選択されたディスクに係わる全曲について把握することができる。
【０００４】
また、前記ディスクスキャン機能とは、当該装置内に収納された複数枚のディスクを順次に選択し、当該選択されたディスクに記録された先頭曲のみを所定時間づつ再生させるようにしたものであり、ユーザーは当該装置内に収納された各ディスクが何のディスクであるかを判別することができる。
【０００５】
【発明が解決しようとする課題】
しかしながら、上記従来のディスク再生装置によれば、例えば先頭曲の先頭部分が、効果音としての波音を録音した曲や観客の拍手音しか聞こえないようなライブを録音した曲が記録されたディスクを対象にディスクスキャン機能を起動させた場合、当該ディスクの先頭曲の先頭部分を前記オールスキャン機能と同じ所定時間しか再生させないので、ユーザーは当該所定時間の再生を受聴して当該ディスクが何のディスクであるかを判別することができないといった問題点があった。
【０００６】
本発明は上記問題点に鑑みてなされたものであり、その目的とするところは、ディスクスキャン機能時におけるユーザーのディスク判別を確実にするディスク再生装置を提供することにある。
【０００７】
【課題を解決するための手段】
上記目的を達成するために本発明のディスク再生装置は、複数枚のディスクを収納するディスク収納手段と、選択されたディスクを再生するディスク再生手段と、オールスキャン指令又はディスクスキャン指令を入力する操作手段と、当該操作手段によるオールスキャン指令入力に応じて選択されたディスクに記録された各曲の先頭部分のみを前記ディスク再生手段にて所定時間、順次に再生させると共に、前記操作手段によるディスクスキャン指令入力に応じて前記ディスク収納手段に収納中の各ディスクを順次に選択し、当該選択されたディスクに記録された先頭曲のみを前記ディスク再生手段にて前記所定時間よりも長く再生させる制御手段とを有することを特徴とする。
【０００８】
【作用】
かかる構成により、本発明のディスク再生装置によれば、オールスキャン指令入力に応じて選択されたディスクに記録された各曲の先頭部分のみをディスク再生手段にて所定時間、順次に再生させると共に、ディスクスキャン指令入力に応じてディスク収納手段に収納中の各ディスクを順次に選択し、当該選択されたディスクに記録された先頭曲のみを前記ディスク再生手段にて前記所定時間よりも長く再生させるようにしたので、例えば先頭曲の先頭部分が、効果音としての波音を録音した曲や観客の拍手音しか聞こえないようなライブを録音した曲が記録されたディスクを対象にディスクスキャン指令を受けた場合であっても、ユーザーは当該装置内のディスク判別を確実に行うことができる。
【０００９】
【実施例】
以下、図面に基づいて本発明のディスク再生装置を適用したＣＤオートチェンジャー装置の実施例について説明する。図１は本発明のディスク再生装置を適用したＣＤオートチェンジャー装置内部の概略構成を示すブロック図である。
【００１０】
図１に示すＣＤオートチェンジャー装置においては、複数枚のディスクを図示せぬ収納領域に収納すると共に、当該収納領域に収納された各ディスクを選択し、当該選択されたディスクに対して再生動作等の様々なメカ動作を実行するオートチェンジャー部１０と、当該オートチェンジャー部１０を制御するオートチェンジャーコントロールユニット２０とを有している。尚、請求項１記載のディスク再生手段及びディスク収納手段は当該オートチェンジャー部１０に相当するものである。
【００１１】
前記オートチェンジャーコントロールユニット２０は、様々な指令を入力する操作手段である操作部２１と、前記オートチェンジャー部１０にて再生されたディスクの再生信号にオーディオ処理を施すオーディオ回路２２と、当該オーディオ処理を施された再生信号を増幅するアンプ部２３と、当該増幅された再生信号を音声出力するスピーカ２４と、様々な情報データを記憶するＲＡＭ２５と、様々な情報を表示出力する表示部２６と、当該オートチェンジャーコントロールユニット２０全体を制御する制御手段であるマイコン２７とを有している。
【００１２】
前記操作部２１には、図示せぬが、通常の再生指令を入力する再生キー、当該装置内の所望ディスクを選択するディスク選択キー、当該選択されたディスクに記録された各曲の先頭部分のみを順次に所定時間再生させるオールスキャン指令を入力するオールスキャンキーや、当該装置内の各ディスクを順次に選択し、当該選択されたディスクの先頭曲に係わる先頭部分を所定時間再生させるディスクスキャン指令を入力するディスクスキャンキーとを有している。尚、前記オールスキャン指令の再生時間は例えば１０秒間であり、前記ディスクスキャン指令の再生時間は前記オールスキャン指令に係わる再生時間よりも長い、例えば３０秒間とするものであり、これら再生時間の設定を前記マイコン２７が管理するものである。
【００１３】
また、前記表示部２６には、当該装置内の各ディスクを識別するディスク番号を表示するディスク番号表示領域２６ａと、再生中の曲を識別するトラック番号を表示するトラック番号表示領域２６ｂと、当該再生中の曲に係わる演奏時間等をカウント表示させるＰ−ＴＩＭＥ表示領域２６ｃと、例えばディスクスキャン指令を受けてディスクスキャンモードを設定した場合等に現在の設定モードを表示させるモード表示領域２６ｄとを有している。
【００１４】
前記マイコン２７は、当該装置への電源投入と同時に、当該装置内に収納された各ディスクのＴＯＣ情報を前記オートチェンジャー部１０に読み取らせ、当該読み取られたＴＯＣ情報を前記ＲＡＭ２５に記憶させるようにした。
【００１５】
では、次に当該ＣＤオートチェンジャー装置の動作について説明する。図２は当該ＣＤオートチェンジャー装置のスキャンモード処理におけるマイコン２７の処理動作を示すフローチャートである。
【００１６】
当該スキャンモード処理とは、前記オールスキャン指令の入力を受けると、当該選択されたディスクの各曲における先頭部分のみを順次に１０秒間づつ再生させると共に、前記ディスクスキャン指令の入力を受けると、当該装置内に収納された各ディスクを選択し、当該選択されたディスクの先頭曲のみを前記オールスキャンの再生時間よりも長い、３０秒間づつ再生させるようにしたものである。
【００１７】
図２においてマイコン２７は、前記操作部２１におけるオールスキャンキーが入力されたか否かを判定する（ステップＳ１１）。当該オールスキャンキーが入力されたのであれば、当該マイコン２７内のスキャン再生タイマーに１０秒間をセットし（ステップＳ１２）、前記ＲＡＭ２５に記憶されたＴＯＣ情報に基づいて前記オートチェンジャー部１０に当該選択された指定ディスクの先頭曲を再生させ（ステップＳ１３）、前記スキャン再生タイマーにてセットした１０秒間が経過するまで、当該１０秒間が経過したか否かを判定する（ステップＳ１４）。
【００１８】
当該１０秒間が経過したのであれば、当該曲再生を停止させ（ステップＳ１５）、前記ＲＡＭ２５に記憶されたＴＯＣ情報に基づいて当該指定ディスクに次曲があるか否かを判定する（ステップＳ１６）。当該指定ディスクに次曲があるのであれば、当該ＴＯＣ情報に基づいて次曲を検索し（ステップＳ１７）、前記スキャン再生タイマーに１０秒間をセットして（ステップＳ１８）、前記オートチェンジャー部１０に当該次曲を再生させ（ステップＳ１９）、ステップＳ１４に移行する。
【００１９】
また、ステップＳ１６にて指定ディスクに次曲がなければ、当該スキャンモード処理の処理動作を終了する。
【００２０】
また、ステップＳ１１にてオールスキャンキーが入力されたのでなければ、ディスクスキャンキーが入力されたのであるか否かを判定する（ステップＳ２０）。
【００２１】
当該ディスクスキャンキーが入力されたのであれば、前記オートチェンジャー部１０に例えば予め設定された所定順序に基づいて当該装置内からディスクを選択させ（ステップＳ２１）、前記スキャン再生タイマーに３０秒間をセットし（ステップＳ２２）、前記ＲＡＭ２５に記憶されたＴＯＣ情報に基づいて、ステップＳ２１にて選択されたディスクの先頭曲を前記オートチェンジャー部１０に再生させ（ステップＳ２３）、前記スキャン再生タイマーにてセットされた３０秒間が経過するまで、当該３０秒間が経過したか否かを判定する（ステップＳ２４）。
【００２２】
当該３０秒間が経過したのであれば、当該曲再生を停止させ（ステップＳ２５）、前記ＲＡＭ２５に記憶されたＴＯＣ情報に基づいてディスクスキャン対象の残りディスクがあるか否かを判定する（ステップＳ２６）。当該残りのディスクがあれば、前記所定順序に基づいて前記オートチェンジャー部１０に次のディスクを選択させ（ステップＳ２７）、前記スキャン再生タイマーに３０秒間をセットし（ステップＳ２８）、ステップＳ２３に移行する。
【００２３】
ステップＳ２６にて残りディスク、すなわちディスクスキャン対象ディスクがなければ、当該スキャンモード処理の処理動作を終了する。
【００２４】
上記実施例によれば、オールスキャン指令入力に応じて選択されたディスクに記録された各曲の先頭部分のみを、オートチェンジャー部１０にて１０秒間づつ順次に再生させると共に、ディスクスキャン指令入力に応じて当該装置内に収納中の各ディスクを順次に選択し、当該選択されたディスクに記録された先頭曲のみを、前記オートチェンジャー部１０にて前記オールスキャン時よりも長い再生時間、すなわち３０秒間づつ再生させるようにしたので、例えば先頭曲の先頭部分が、効果音としての波音を録音した曲や観客の拍手音しか聞こえないようなライブを録音した曲が記録されたディスクを対象にディスクスキャン指令を受けた場合であっても、ユーザーは当該装置内のディスク判別を確実に行うことができる。
【００２５】
尚、上記実施例においては、複数枚のＣＤディスクを収納するＣＤオートチェンジャー装置に適用して説明したが、ＬＤやＭＤを対象としたオートチェンジャー装置についても適用可能であることは言うまでもない。
【００２６】
また、前記スキャン再生タイマーの設定時間を、オールスキャンの場合には１０秒間及びディスクスキャンの場合は３０秒間としたが、この数値の限りでないことはいうまでもない。
【００２７】
【発明の効果】
上記のように構成された本発明のディスク再生装置によれば、オールスキャン指令入力に応じて選択されたディスクに記録された各曲の先頭部分のみをディスク再生手段にて所定時間、順次に再生させると共に、ディスクスキャン指令入力に応じてディスク収納手段に収納中の各ディスクを順次に選択し、当該選択されたディスクに記録された先頭曲のみを前記ディスク再生手段にて前記所定時間よりも長く再生させるようにしたので、例えば先頭曲の先頭部分が、効果音としての波音を録音した曲や観客の拍手音しか聞こえないようなライブを録音した曲に記録されたディスクを対象にディスクスキャン指令を受けた場合であっても、ユーザーは当該装置内のディスク判別を確実に行うことができる。
【図面の簡単な説明】
【図１】本発明のディスク再生装置を適用したＣＤオートチェンジャー装置内部の概略構成を示すブロック図である。
【図２】本実施例のＣＤオートチェンジャー装置のスキャンモード処理におけるマイコンの処理動作を示すフローチャートである。
【符号の説明】
１０  オートチェンジャー部（ディスク収納手段，ディスク再生手段）
２１  操作部（操作手段）
２７  マイコン（制御手段）
【図１】
0003561042.tif 000002
【図２】
0003561042.tif 000003